(57)【特許請求の範囲】
【請求項１】
回動軸部を有する第１部分と、
前記回動軸部が挿入され、挿入された前記回動軸部を回動可能に且つ軸方向に移動可能に支持する軸支持部を有し、前記第１部分に対して相対回動可能に連結される第２部分と、
を備え、
前記第１部分及び前記第２部分のうち、いずれか一方には凸部が設けられ、他方には前記回動軸部が前記軸支持部に挿入されるのに伴い前記凸部と嵌合して前記第２部分の相対回動を規制する凹部が設けられており、
前記回動軸部及び前記軸支持部には、互いに係合し、前記凸部が前記凹部に嵌合する第１位置と前記凸部が前記凹部から脱する第２位置との間で該回動軸部の軸方向の移動を規制する係止部がそれぞれ設けられており、
前記凸部は、前記回動軸部の基端部に設けられ、該回動軸部の中心軸まわりに回転対称な多角形に形成されており、
前記凹部は、前記軸支持部の開口縁部に設けられ、前記凸部と同一な多角形に形成されている模型。
【請求項２】
請求項１記載の模型であって、
前記凸部の角部は、面取りされ、又は丸められている模型。
【請求項３】
請求項１又は２記載の模型であって、
前記凸部及び前記凹部の角数は４以上６以下である模型。
【請求項４】
請求項１から３のいずれか一項記載の模型であって、
前記回動軸部の前記係止部は、該回動軸部の外周に環状に形成された溝であり、
前記軸支持部の前記係止部は、前記溝に収容される突起である模型。
【発明の詳細な説明】
【技術分野】
【０００１】
本発明は、模型に関する。
【背景技術】
【０００２】
第１部分と、第１部分に対して相対回動可能に連結される第２部分とを備えた模型が知られている（例えば、特許文献１参照）。
【０００３】
図７に示す特許文献１に記載された人形の模型において、脚部１０は、胴体１に対して回動可能に連結されている。胴体１は、突出片２と、突出片２に固定された球体２０とを有し、脚部１０は、球体２０を収納する収納室１２を有している。脚部１０は、収納室１２の内周面と球体２０の外周面との滑り対偶により回動される。
【先行技術文献】
【特許文献】
【０００４】
【特許文献１】実公平７−４５２７３号公報
【発明の概要】
【発明が解決しようとする課題】
【０００５】
特許文献１に記載された模型において、収納室１２の内周面と球体２０の外周面との滑り対偶により回動された脚部１０は、収納室１２の内周面と球体２０の外周面との摩擦によって回動後の状態に保持される。しかし、脚部１０の回動が繰り返されるのに伴い、収納室１２の内周面及び球体２０の外周面に磨耗が生じ、脚部１０の保持力が低下してしまう。
【０００６】
本発明は、上述した事情に鑑みなされたものであり、二つの部分を相対回動可能に且つ回動後の状態を確実に保持可能に連結することを目的とする。
【課題を解決するための手段】
【０００７】
本発明に係る模型は、回動軸部を有する第１部分と、前記回動軸部が挿入され、挿入された前記回動軸部を回動可能に且つ軸方向に移動可能に支持する軸支持部を有し、前記第１部分に対して相対回動可能に連結される第２部分と、を備え、前記第１部分及び前記第２部分のうち、いずれか一方には凸部が設けられ、他方には前記回動軸部が前記軸支持部に挿入されるのに伴い前記凸部と嵌合して前記第２部分の相対回動を規制する凹部が設けられており、前記回動軸部及び前記軸支持部には、互いに係合し、前記凸部が前記凹部に嵌合する第１位置と前記凸部が前記凹部から脱する第２位置との間で該回動軸部の軸方向の移動を規制する係止部がそれぞれ設けられていることを特徴とする。また、本発明に係る模型は、回動軸部を有する第１部分と、前記回動軸部が挿入され、挿入された前記回動軸部を回動可能に且つ軸方向に移動可能に支持する軸支持部を有し、前記第１部分に対して相対回動可能に連結される第２部分と、を備え、前記第１部分及び前記第２部分のうち、いずれか一方には凸部が設けられ、他方には前記回動軸部が前記軸支持部に挿入されるのに伴い前記凸部と嵌合して前記第２部分の相対回動を規制する凹部が設けられており、前記回動軸部及び前記軸支持部には、互いに係合し、前記凸部が前記凹部に嵌合する第１位置と前記凸部が前記凹部から脱する第２位置との間で該回動軸部の軸方向の移動を規制する係止部がそれぞれ設けられており、前記凸部は、前記回動軸部の基端部に設けられ、該回動軸部の中心軸まわりに回転対称な多角形に形成されており、前記凹部は、前記軸支持部の開口縁部に設けられ、前記凸部と同一な多角形に形成されていることを特徴とする。
【０００８】
また、本発明に係る模型においては、前記凸部は、前記回動軸部の基端部に設けられ、該回動軸部の中心軸まわりに回転対称な多角形に形成されており、前記凹部は、前記軸支持部の開口縁部に設けられ、前記凸部と同一な多角形に形成されていてもよい。
【０００９】
また、本発明に係る模型においては、前記凸部の角部は、面取りされ、又は丸められていてもよい。
【００１０】
また、本発明に係る模型においては、前記凸部及び前記凹部の角数は４以上６以下であってもよい。
【００１１】
また、本発明に係る模型においては、前記回動軸部の前記係止部は、該回動軸部の外周に環状に形成された溝であり、前記軸支持部の前記係止部は、前記溝に収容される突起であってもよい。
【発明の効果】
【００１２】
本発明によれば、第１部分及び第２部分を相対回動可能に且つ回動後の状態を確実に保持可能に連結することができる。
【図面の簡単な説明】
【００１３】
【図１】本発明の実施形態を説明するための、模型の一例の構成を分解して示す図である。
【図２】図１の模型の胴体部と腕部との連結部分の構成を示す図である。
【図３】図２の連結部分における胴体部の内部の構成を示す図である。
【図４】図２の連結部分における胴体部の内部の構成を示す図である。
【図５】図１の模型の腕部の保持態様を示す図である。
【図６】図１の模型の腕部に対する回動操作に伴う腕部の動きを示す図である。
【図７】従来の模型の構成を示す図である。
【発明を実施するための形態】
【００１４】
図１は、本発明の実施形態を説明するための、模型の一例の構成を分解して示す。
【００１５】
図１に示す模型１０１は、全体として人形を呈し、頭部１０２、胴体部１０３、左右一対の腕部１０４、左右一対の脚部１０５とを備えている。腕部１０４及び脚部１０５は、胴体部１０３に対して相対回動可能に連結される。
【００１６】
以下、胴体部１０３と腕部１０４との連結を例に、本発明を詳細に説明する。
【００１７】
図２は、胴体部１０３と腕部１０４との連結部分を示し、図３及び図４は、連結部分における胴体部１０３の内部の構成を示す。
【００１８】
腕部１０４には、回動軸部１１０が設けられており、胴体部１０３には、回動軸部１１０が挿入される軸支持部１１１が設けられている。軸支持部１１１は、挿入された回動軸部１１０を回動可能に且つ軸方向に移動可能に支持する。なお、胴体部１０３に回動軸部１１０が設けられ、腕部１０４に軸支持部１１１が設けられていてもよい。
【００１９】
また、腕部１０４には、凸部１１２が設けられており、胴体部１０３には、凸部１１２が嵌合可能な凹部１１３が設けられている。図示の例では、凸部１１２は、回動軸部１１０の基端部に設けられており、凹部１１３は、回動軸部１１０が挿入される軸支持部１１１の挿入開口部の開口縁部１１１ａに設けられている。なお、凸部１１２及び凹部１１３は、回動軸部１１０や軸支持部１１１とは別に、胴体部１０３及び腕部１０４の互いの接触面１０３ａ，１０４ａに設けられていてもよい。
【００２０】
回動軸部１１０の基端部に設けられた凸部１１２は、回動軸部１１０の中心軸まわりに回転対称な多角形に形成され、凸部１１２が嵌合可能な凹部１１３は、軸支持部１１１の中心軸まわりに回転対称な多角形で、且つ凸部１１２と同一な多角形に形成されている。図示の例では、凸部１１２及び凹部１１３は外縁が四角形状に形成されている。
【００２１】
そして、多角形（四角形）に形成された凸部１１２の角部１１２ａは、面取りされ、又は丸められている。
【００２２】
胴体部１０３は、凹部１１３の一部をそれぞれに含む正面側の第１部材１０６と、背面側の第２部材１０７とに二分割されており、第１部材１０６と第２部材１０７とが互いに接合されて構成されている。
【００２３】
図３及び図４に示すように、第２部材１０７の内面には半円筒状に形成された支持壁１２０が設けられている。図示は省略するが、第１部材１０６の内面にも、同様に半円筒状に形成された支持壁１２０が設けられている。第１部材１０６と第２部材１０７とが互いに接合されるのに伴い、第１部材１０６及び第２部材１０７の各々の支持壁１２０は、一体となって軸支持部１１１を構成する。
【００２４】
支持壁１２０の内周面には突起１２１が形成されている。突起１２１は、半円環状に形成され、支持壁１２０の内周面の周方向に延びて設けられている。また、回動軸部１１０の外周面には溝１２２が形成されている。溝１２２は、円環状に形成され、回動軸部１１０の外周面の周方向に延びて設けられている。そして、溝１２２の幅Ｗ２は、突起１２１の幅Ｗ１よりも大きく形成されており、突起１２１を収容可能である。
【００２５】
回動軸部１１０が軸支持部１１１に挿入されるのに伴い、軸支持部１１１の突起１２１が回動軸部１１０の溝１２２に収容され、突起１２１と溝１２２とが互いに係合する。突起１２１と溝１２２との係合により、回動軸部１１０は軸支持部１１１から抜け止めされる。
【００２６】
そして、突起１２１が溝１２２における回動軸部１１０の基端側の端面に当接する第１位置（図３）と、突起１２１が溝１２２における回動軸部１１０の先端側の端面に当接する第２位置（図４）との間で、回動軸部１１０はその軸方向に移動可能に軸支持部１１１によって支持される。
【００２７】
回動軸部１１０が上記第１位置にあるとき、回動軸部１１０の基端部に設けられている凸部１１２は、軸支持部１１１の開口縁部１１１ａに設けられている凹部１１３に嵌合している。凸部１１２と凹部１１３との嵌合により、腕部１０４は、胴体部１０３に対する回動を規制された状態に保持される。一方、回動軸部１１０が上記第２位置にあるとき、凸部１１２は凹部１１３から脱しており、腕部１０４は、胴体部１０３に対して回動自在とされる。
【００２８】
凸部１１２は、回動軸部１１０の中心軸まわりに回転対称な四角形に形成され、凹部１１３もまた、軸支持部１１１の中心軸まわりに回転対称な四角形で、且つ凸部１１２と同一な四角形に形成されている。したがって、図５に示すように、腕部１０４が略９０°回動される毎に凸部１１２は凹部１１３に嵌合可能な状態となる。そして、凸部１１２が凹部１１３に嵌合可能となった状態で回動軸部１１０が軸支持部１１１に押し込まれことにより、凸部１１２が凹部１１３に嵌合し、腕部１０４は胴体部１０３に対する回動を規制されて回動後の状態に保持される。
【００２９】
なお、凸部１１２及び凹部１１３は外縁が四角形状であるものとして説明したが、例えば六角形状などの他の多角形状に形成することもでき、凸部１１２及び凹部１１３を六角形に形成した場合には、略６０°おきに腕部１０４の保持が可能となる。凸部１１２及び凹部１１３の角数を増加させるほどに、腕部１０４の保持が可能となる回転角の間隔は狭くなり、より多くの位置で腕部１０４の保持が可能となるが、保持力とのバランスを考慮すれば、凸部１１２及び凹部１１３の角数は４〜６が好ましい。
【００３０】
ここで、腕部１０４の回動を規制するための凸部１１２の角部１１２ａは、上記のとおり面取りされ、又は丸められている。
【００３１】
図６（Ａ）に示すように、凸部１１２と凹部１１３とが嵌合し、腕部１０４の胴体部１０３に対する回動が規制されている状態で、腕部１０４が強引に回動されると、図６（Ｂ）に示すように、角部１１２ａの面取り又は丸めに応じた僅かな回転角で腕部１０４が回動され、これを契機として、図６（Ｃ）に示すように、凹部１１３近傍における第１部材１０６及び第２部材１０７の各々の接合面の間隔を広げながら、腕部１０４がさらに回動される。このとき、凸部１１２には第１部材１０６及び第２部材１０７の反力が働き、かかる反力は凸部１１２を凹部１１３から押し出すように作用し、図６（Ｄ）に示すように、凸部１１２が凹部１１３から脱し、腕部１０４は、胴体部１０３に対して回動自在とされる。
【００３２】
このように、凸部１１２の角部１１２ａを面取りし、又は丸めることにより、腕部１０４に対する強引な回動操作に対して凸部１１２と凹部１１３との嵌合を自動的に解除させることができ、胴体部１０３や腕部１０４の破損を抑制することができる。
【００３３】
以上、人形の模型１０１における胴体部１０３と腕部１０４との連結部分を例に説明したが、上述した構成は、例えば胴体部１０３と脚部１０５との連結部分にも適宜、適用することができる。また、肘、膝、首等の連結部分にも適宜、適用することができる。
【符号の説明】
【００３４】
１０１ 模型
１０２ 頭部
１０３ 胴体部
１０４ 腕部
１０５ 脚部
１１０ 回動軸部
１１１ 軸支持部
１１２ 凸部
１１３ 凹部
１２１ 突起（係止部）
１２２ 溝（係止部）
【図１】
0005969535.tif 000002
【図２】
0005969535.tif 000003
【図３】
0005969535.tif 000004
【図４】
0005969535.tif 000005
【図５】
0005969535.tif 000006
【図６】
0005969535.tif 000007
【図７】
0005969535.tif 000008